(57)【特許請求の範囲】
【請求項１】
壁面に固定され、互いに対向する２本の手摺の端面の各端面部材を頂部で支持する端面部材装着部を備えたブラケット本体が備えられ、
前記各端面部材は、各手摺の各端面にそれぞれ固定される一対の円盤と、各円盤の半分の位置からそれぞれ突設された半円状を呈する一対の半円状肉厚部とを備え、
前記端面部材装着部の上面には、曲率半径が前記各端面部材の半径と等しく設定された円弧面が形成され、
前記各端面部材は、前記一対の半円状肉厚部の各弦面が互いに当接された状態で、下側となる半円状肉厚部が前記円弧面上に載置されることにより、前記端面部材装着部に支持されるようになっており、
前記端面部材装着部には、前記円弧面に支持された各端面部材をネジでネジ止めするための上下方向に貫通した縦貫通孔が穿設され、前記ネジを下面開口から差し込んで、前記下側となる半円状肉厚部の装着孔から、上側となる半円状肉厚部の有底のネジ孔に螺着して締結することを特徴とする手摺用ブラケット。
【請求項２】
前記円弧面には、上方に向かって突設された位置決め突片が設けられ、この位置決め突片は、前記下側となる半円状肉厚部の位置決め孔を外嵌することを特徴とする請求項１に記載の手摺用ブラケット。
【請求項３】
前記各端面部材の前記円盤と前記半円状肉厚部とに、互いに嵌り込み可能な嵌合突起と嵌合凹部とが設けられ、前記嵌合凹部は、平面視で開口部から奥へ向かうに従い溝幅が漸増する蟻溝であるとともに、前記嵌合突起は、前記蟻溝に対応するように平面視で根本部分の幅寸法が最も短く、先へ向かうに従い幅寸法が漸増するように形状設定されていることを特徴とする請求項１または２に記載の手摺用ブラケット。
【請求項４】
前記各端面部材の円盤および半円状肉厚部には、挿通孔が穿設され、ビスがこれらの挿通孔を介して前記各手摺の端面にねじ込まれることで、前記各手摺の対向面に各端面部材が取り付けられることを特徴とする請求項１〜３のいずれか一項に記載の手摺用ブラケット。
【発明の詳細な説明】
【技術分野】
【０００１】
本発明は、建築物の壁面等に取り付けられる手摺を支持するための手摺用ブラケットに関するものである。
【背景技術】
【０００２】
従来、特許文献１に記載されているような、手摺を支持するための手摺用ブラケットが知られている。このブラケットは、壁面にネジ止めで固定される座金部材と、この座金部材にネジ止めで固定されるブラケット本体と、このブラケット本体から突設された先端が上方へ向かう円弧状のアームと、このアームの上端に固定された、手摺を受けるための手摺取付部とを備えている。手摺取付部は、手摺の断面形状に対応するように手摺の延びる方向と直交する方向から見て円弧状に形成されている。そして、かかる手摺用ブラケットが壁面に固定された状態で手摺取付部に載せられた手摺は、当該手摺取付部を貫通した状態でのネジ止めによって手摺ブラケットに支持される。
【先行技術文献】
【特許文献】
【０００３】
【特許文献１】特開平２００５−９８０７５号公報
【発明の概要】
【発明が解決しようとする課題】
【０００４】
ところで、特許文献１に記載の手摺用ブラケットにあっては、壁面にネジ止めで固定された座金部材に対してブラケット本体をネジ止めしなければならず、その分手摺用ブラケットの取り付け作業の作業性が劣るという問題点が存在する。
【０００５】
本発明は、従来のこのような問題点を解消するためになされたものであって、壁面への取り付け作業の作業性を向上させることができる手摺用ブラケットを提供することを目的としている。
【課題を解決するための手段】
【０００６】
請求項１記載の発明は、壁面に固定され、互いに対向する２本の手摺の端面の各端面部材を頂部で支持する端面部材装着部を備えたブラケット本体が備えられ、前記各端面部材は、各手摺の各端面にそれぞれ固定される一対の円盤と、各円盤の半分の位置からそれぞれ突設された半円状を呈する一対の半円状肉厚部とを備え、前記端面部材装着部の上面には、曲率半径が前記各端面部材の半径と等しく設定された円弧面が形成され、前記各端面部材は、前記一対の半円状肉厚部の各弦面が互いに当接された状態で、下側となる半円状肉厚部が前記円弧面上に載置されることにより、前記端面部材装着部に支持されるようになっており、前記端面部材装着部には、前記円弧面に支持された各端面部材をネジでネジ止めするための上下方向に貫通した縦貫通孔が穿設され、前記ネジを下面開口から差し込んで、前記下側となる半円状肉厚部の装着孔から、上側となる半円状肉厚部の有底のネジ孔に螺着して締結することを特徴とするものである。
【０００７】
かかる構成によれば、端面部材は、手摺の端面が固定される円盤によって形成され、円盤は、ブラケット本体の頂部に固定されているため、直列に連結されるべき複数本の手摺における端の手摺の端部に円盤を固定し、この円盤をブラケット本体の頂部に固定することにより、手摺をその端部が見苦しくない状態で手摺用ブラケットに支持させることができる。
【０００８】
また、互いに接続されるべき２本の手摺の一方側の端縁に端面部材の円盤を固定する一方、他方側の端縁にも円盤を固定し、これら各円盤から突設された半円状厚部同士が互いに干渉しあわないように（すなわち、各端面部材の半円状肉厚部を、それぞれ相手方の円盤に当接させるように）して両端面部材を当接させ、この状態で両者をブラケット本体の頂部に固定することにより、互いに隣接されるべき２本の手摺の対向端部同士を、１つの手摺用ブラケットにより確実に支持された状態にすることができる。
【０００９】
請求項２記載の発明は、請求項１記載の発明において、前記円弧面には、上方に向かって突設された位置決め突片が設けられ、この位置決め突片は、前記下側となる半円状肉厚部の位置決め孔を外嵌することを特徴とするものである。
【００１０】
かかる構成によれば、端面部材の端面部材装着部に対する被支持状態が確実になる。
【００１１】
請求項３記載の発明は、請求項１または２に記載の発明において、前記各端面部材の前記円盤と前記半円状肉厚部とに、互いに嵌り込み可能な嵌合突起と嵌合凹部とが設けられ、前記嵌合凹部は、平面視で開口部から奥へ向かうに従い溝幅が漸増する蟻溝であるとともに、前記嵌合突起は、前記蟻溝に対応するように平面視で根本部分の幅寸法が最も短く、先へ向かうに従い幅寸法が漸増するように形状設定されていることを特徴とするものである。
【００１２】
かかる構成によれば、一側の端面部材の嵌合突起が他側の端面部材の嵌合凹部に嵌り込むとともに、他側の端面部材の嵌合突起が一側の端面部材の嵌合凹部に嵌り込み、これによって各端面部材の位置ずれが防止されるようになされている。
【００１３】
また、嵌合突起および嵌合凹部に蟻溝方式が採用されているから、両者が上下から互いに接近することで一旦嵌め合わされると、各端面部材は、軸心方向に離間し得なくなるため、かかる蟻溝方式は、各端面部材の接合方式として優れている。
【００１４】
請求項４記載の発明は、請求項１〜３のいずれか一項に記載の発明において、前記各端面部材の円盤および半円状肉厚部には、挿通孔が穿設され、ビスがこれらの挿通孔を介して前記各手摺の端面にねじ込まれることで、前記各手摺の対向面に各端面部材が取り付けられることを特徴とするものである。
【００１５】
かかる構成によれば、ビスがこれらの挿通孔を介して手摺の端面にねじ込まれ、これによって互いに直列に隣設される手摺の対向面に端面部材が取り付けられる。
【発明の効果】
【００１６】
本発明に係る手摺用ブラケットによれば、互いに隣接されるべき２本の手摺の対向端部同士を、１つの手摺用ブラケットにより確実に支持された状態にすることができる。
【図面の簡単な説明】
【００１７】
【図１】本発明に係る手摺用ブラケットの第１実施形態を示す一部切り欠き分解斜視図である。
【図２】図１に示す手摺用ブラケットの組み立て途中の状態を示す一部切り欠き斜視図である。
【図３】図２に示す手摺用ブラケットの一部切り欠き組み立て斜視図である。
【図４】図３のＩＶ―ＩＶ線断面図である。
【図５】嵌合突起および嵌合凹部を説明するための第１および第２端面部材の斜視図であり、特に第２端面部材については、内部の構造を視認し得るように透視的に示している。
【図６】本発明に係る手摺用ブラケットの第２実施形態を示す一部切り欠き分解斜視図である。
【図７】本発明に係る手摺用ブラケットの第２実施形態を示す一部切り欠き分解斜視図であり、図６に示す手摺用ブラケットの組み立て斜視図である。
【図８】手摺が第１および第２実施形態に係る手摺用ブラケットに支持されて所定の壁面に取り付けられた状態を示す斜視図である。
【発明を実施するための形態】
【００１８】
図１は、本発明に係る手摺用ブラケットの第１実施形態を示す一部切り欠き分解斜視図であり、図２は、その組み立て途中の一部切り欠き斜視図であり、図３は、その一部切り欠き組み立て斜視図である。また、図４は、図３のＩＶ―ＩＶ線断面図である。なお、図１〜図４においてＸ方向を左右方向、Ｙ方向を前後方向といい、特に−Ｘを左方、＋Ｘを右方、−Ｙを前方、＋Ｙを後方という。
【００１９】
まず、図１に示すように、手摺用ブラケット１０は、壁面Ｗに固定される座金部材２０と、この座金部材２０に取り付けられるベースプレート３０と、このベースプレート３０を介して前記座金部材２０に取り付けられ、かつ、頂部に手摺の端面に固定される端面部材（手摺支持部材）５０が取り付けられるブラケット本体４０とを備えて構成されている。そして、座金部材２０と前記ベースプレート３０との間に、ブラケット本体４０を座金部材２０にワンタッチで結合するワンタッチ結合構造が形成されている。
【００２０】
前記座金部材２０は、本実施形態においては、金属製の円板によって形成されている。かかる座金部材２０には、周縁部に周方向に向けて等ピッチで穿設された複数（本実施形態では３つ）のネジ挿通孔２１が設けられている。そして、座金部材２０は、これらのネジ挿通孔２１に挿通されたネジＳが壁面Ｗにねじ込まれて締結されることにより壁面Ｗに固定される。
【００２１】
また、座金部材２０には、それぞれの隣設されたネジ挿通孔２１間に裏面（後面）側からの切り起しで形成されたネジ挿通孔２１と同数の第１係止突片２２が設けられている。これらの第１係止突片２２は、後述のベースプレート３０の第２係止突片３２との間で互いに係止し合うものである。
【００２２】
前記各第１係止突片２２は、曲率中心が座金部材２０の中心と同心の円弧状を呈するように切り起された起立円弧起突２２１と、この起立円弧起突２２１の先端部から中心方向に向けて延設された延設片２２２とからなっている。延設片２２２は、中心側の先端縁部が中心線の延びる方向から見た平面視で当該中心を曲率中心とした円弧状に形成されている。
【００２３】
前記ベースプレート３０は、ブラケット本体４０に固定された状態で当該ブラケット本体４０と座金部材２０との間に介設されるものであり、本実施形態においては、一辺の長さ寸法が座金部材２０の直径と同一に設定された正方形状を呈する金属製の板体によって形成されている。かかるベースプレート３０は、四隅部にそれぞれ穿設された、ビスＢを通すための４つのビス挿通孔３１と、前記座金部材２０の各第１係止突片２２にそれぞれ対向するように前面側から切り起されることによって形成された複数（第１係止突片２２と同数）の第２係止突片３２とを有している。
【００２４】
前記第２係止突片３２は、ベースプレート３０の背面側から前方に向かって円弧状を呈するように切り起された、曲率中心がベースプレート３０の中心と同心の起立円弧起突３２１と、この起立円弧起突３２１の先端部から径方向の外方に向けて延設された延設片３２２とからなっている。
【００２５】
前記延設片３２２は、径方向の外方の縁部が座金部材２０の起立円弧起突２２１の内面側の円弧面に摺接するように円弧縁面とされている。かかる円弧縁面は、前方から見て反時計方向に向かうに従い曲率径寸法が漸増されている。
【００２６】
そして、第２係止突片３２を第１係止突片２２に対してほぼ６０°位相ずれさせた状態でベースプレート３０の背面側を座金部材２０の前面側に当接させ、ベースプレート３０の前面側から見て中心回りに時計方向に回転させることにより、第２係止突片３２の延設片３２２が第１係止突片２２の延設片２２２と座金部材２０の前面との間の隙間に嵌り込んでいくことになる。
【００２７】
なお、本実施形態では、第２係止突片３２の延設片３２２の円弧縁面が反時計方向に向かうに従い曲率径寸法が漸増されている。従って、当該円弧縁面が第１係止突片２２の延設片２２２の内面側と干渉して回り締まりし、これによってベースプレート３０が座金部材２０に固定される。そして、第２係止突片３２の延設片３２２は、ベースプレート３０が略６０°回転されることにより、円弧縁面の作用でベースプレート３０の座金部材２０への固定化が完了するように寸法設定されている。これら座金部材２０の第１係止突片２２と、ベースプレート３０の第２係止突片３２とで、本発明に係るワンタッチ結合構造が形成されている。
【００２８】
前記ブラケット本体４０は、前記ベースプレート３０が固定されるベースプレート装着部４１と、このベースプレート装着部４１の前縁部から立設された、頂部に前記端面部材５０が装着される端面部材装着部４２とを備えている。
【００２９】
ベースプレート装着部４１は、後面が開口した後面開口４１１を有する、断面形状が正方形に設定された四角のラッパ状を呈している。前記正方形の面積は、後方に向かうに従い漸増する。また、前記後面開口４１１は、ベースプレート３０より僅かに大きい正方形に設定され、これによってベースプレート３０をベースプレート装着部４１の後面開口４１１内へ挿入することができる。
【００３０】
そして、このようなベースプレート装着部４１内の四隅部には、後面開口４１１からベースプレート３０および座金部材２０の各厚み寸法を加えた合計寸法分だけ奥まった位置（すなわち前方へ寄った位置）から前方へ向けて膨出されたビス座部４１２が設けられている。各ビス座部４１２の後面には、ベースプレート３０の各ビス挿通孔３１にそれぞれ対応したビス孔４１３が螺設されている。
【００３１】
従って、ベースプレート装着部４１の後面開口４１１にベースプレート３０を嵌め込んだ状態でビスＢを各ビス挿通孔３１を介して各ビス孔４１３にそれぞれ螺着締結することにより、図２に示すように、ベースプレート３０がブラケット本体４０に装着された状態になる。
【００３２】
前記端面部材装着部４２は、手摺Ｔの端面に取り付けられた端面部材５０を支持して固定するためのものである。かかる端面部材装着部４２は、縦長の直方体状に形状設定され、略下半分がベースプレート装着部４１の前端部にめり込んだ状態で略上半分が上方に向かって立設されている。
【００３３】
このような端面部材装着部４２の上面には、曲率半径が端面部材５０の半径と等しく設定された円弧面４２１が形成されている。端面部材５０は、この円弧面４２１上に載置されることにより、安定した状態で端面部材装着部４２に支持される。かかる円弧面４２１の後端部には、左右方向の中央位置から上方に向かって突設された位置決め突片４２２が設けられている。この位置決め突片４２２は、端面部材５０の後述する位置決め孔５３を外嵌するためのものであり、これにより端面部材５０の端面部材装着部４２に対する被支持状態が確実になる。
【００３４】
また、端面部材装着部４２には、端面部材装着部４２の円弧面４２１に支持された端面部材５０を太ネジＳ１でネジ止めするための上下方向に貫通した縦貫通孔４２３が穿設されている。この縦貫通孔４２３は、端面部材装着部４２の底面から円弧面４２１の直前まで穿設された、内径寸法が太ネジＳ１の頭部の径寸法より僅かに大きい大径孔４２４と、この大径孔４２４と同心で円弧面４２１の上面から穿設された、孔径寸法が太ネジＳ１の螺設部の径寸法より僅かに大きい小径孔４２５とからなっている。
【００３５】
そして、太ネジＳ１を下面開口から大径孔４２４に差し込んでいき、螺設部を小径孔４２５から上方へ突出させた状態で、端面部材５０の後述するネジ孔５６に螺着して締結することにより、端面部材５０がブラケット本体４０に固定されることになる。
【００３６】
前記端面部材５０は、手摺Ｔを手摺用ブラケット１０に支持させるべく当該手摺Ｔの端面に固定されるものである。かかる端面部材５０は、第１実施形態においては、端面同士が互いに対向した２本の手摺Ｔの一方側（図１に示す例では左側）の端面に固定される第１端面部材５０ａと、同他方側（図１に示す例では右側）の端面に固定される第２端面部材５０ｂとがブラケット本体４０の端面部材装着部４２上で互いに結合されるようになっている。
【００３７】
これら第１および第２端面部材５０ａ，５０ｂは、径寸法がそれぞれ手摺Ｔの径寸法と同一に設定された円盤５１と、これら各円盤５１の対向面側に形成された半円状肉厚部５２とからなっている。そして、第１端面部材５０ａの半円状肉厚部５２の弦面５２１と、第２端面部材５０ｂの弦面５２１を互いに当接させることにより、図３に示すような円柱状の端面部材５０が形成される。
【００３８】
このような第１および第２端面部材５０ａ，５０ｂには、円盤５１から突設された状態で弦面５２１から立設された嵌合突起５２２と、この嵌合突起５２２と斜めの位置（点対称の位置）で対応するように半円状肉厚部５２の端面に応接された嵌合凹部５２３とが設けられている。
【００３９】
図５は、嵌合突起５２２および嵌合凹部５２３を説明するための第１および第２端面部材５０ａ，５０ｂの斜視図であり、特に第２端面部材５０ｂについては、内部の構造を視認し得るように透視的に（すなわち、例えばガラスで作られることにより内部が見えるような状態で）示している。また、図５では、嵌合突起５２２および嵌合凹部５２３を楕円内に示している。
【００４０】
これらの嵌合突起５２２および嵌合凹部５２３とは、半円状肉厚部５２の弦面５２１における左右方向に延びる曲率中心線Ｌの中央位置である中心点Ｏの点対象位置にそれぞれ設けられている。
【００４１】
そして、第１および第２端面部材５０ａ，５０ｂは、図１に示す曲率中心線Ｌ（当該曲率中心線Ｌは、円盤５１の中心線と一致する）回りに１８０°の位相ずれで両者の弦面５２１を互いに当接させつつ接近させていくことにより、第１端面部材５０ａの嵌合突起５２２が第２端面部材５０ｂの嵌合凹部５２３に嵌り込むとともに、第２端面部材５０ｂの嵌合突起５２２が第１端面部材５０ａの嵌合凹部５２３に嵌り込み、これによって第１および第２端面部材５０ａ，５０ｂの位置ずれが防止されるようになされている。
【００４２】
また、第１端面部材５０ａの円弧面には、ブラケット本体４０の位置決め突片４２２に対応した位置に位置決め孔５３が穿設されている。この位置決め孔５３は、壁面Ｗに固定された状態のブラケット本体４０の位置決め突片４２２に外嵌されることにより、第１端面部材５０ａの弦面５２１が水平面になるように設置位置が設定されている。
【００４３】
また、円盤５１および半円状肉厚部５２には、それぞれの適所に左右方向へ延びる挿通孔５４が穿設されている。そして、ビスＢがこれらの挿通孔５４を介して手摺Ｔの端面にねじ込まれ、これによって互いに直列に隣設される手摺Ｔの対向面に第１および第２端面部材５０ａ，５０ｂが取り付けられる。
【００４４】
なお、図５に示す例では、嵌合凹部５２３は、平面視で開口部から奥へ向かうに従い溝幅が漸増する、いわゆる蟻溝が採用されているとともに、嵌合突起５２２はこの蟻溝に対応するように平面視で根本部分の幅寸法が最も短く、先へ向かうに従い幅寸法が漸増するように形状設定されている。従って、嵌合突起５２２および嵌合凹部５２３にこのような蟻溝方式が採用されている場合には、両者が上下から互いに接近することで一旦嵌め合わされると、第１および第２端面部材５０ａ，５０ｂは、軸心方向に離間し得なくなるため、かかる蟻溝方式は、第１および第２端面部材５０ａ，５０ｂの接合方式として優れている。
【００４５】
そして、このような端面部材５０の内の第１端面部材５０ａには、前記弦面５２１の中心点Ｏを通り、かつ、弦面５２１と直交する方向に延びる装着孔５５が貫設されているとともに、第２端面部材５０ｂの弦面５２１には、前記装着孔５５と対向した位置に有底のネジ孔５６が凹設されている。これらの装着孔５５およびネジ孔５６は、いずれも前記ブラケット本体４０の端面部材装着部４２に穿設された小径孔４２５と同一の孔径寸法に設定されている。
【００４６】
そして、第１および第２端面部材５０ａ，５０ｂが互いに合体されてブラケット本体４０の端面部材装着部４２の円弧面４２１に取り付けられた状態で、太ネジＳ１を下部開口から縦貫通孔４２３に差し込み、小径孔４２５から上方へ突出した部分を第１端面部材５０ａの装着孔５５に貫通させ、引き続き第２端面部材５０ｂのネジ孔５６に螺着して締結することにより、端面部材５０は、図３に示すように、ブラケット本体４０に固定された状態になる。
【００４７】
以下、手摺用ブラケット１０の組み付け作業および手摺Ｔの手摺用ブラケット１０への取り付け作業について図面を基に説明する。手摺用ブラケット１０を組み付けるに際しては、まず最初に座金部材２０を、図１に示すように、壁面Ｗの所定の位置に押し当て、この状態でネジＳを各ネジ挿通孔２１を介して壁面Ｗへねじ込む。こうすることによって座金部材２０は、図２に示すように、壁面Ｗに固定された状態になる。
【００４８】
一方、図１において矢印で示すように、ベースプレート３０をブラケット本体４０のベースプレート装着部４１の後面開口４１１に嵌め込む。引き続きベースプレート３０の四隅のビス挿通孔３１を介してベースプレート装着部４１の各ビス座部４１２に螺設されたビス孔４１３にビスＢをそれぞれ螺着し締結することにより、ベースプレート３０は、図２に示すように、ブラケット本体４０の後面開口４１１に装着された状態になる。
【００４９】
ついで、ブラケット本体４０を、図２に直線矢印で示すように、前後方向に延びるベースプレート３０の中心線回りに略３０°傾けた状態とし、この状態でブラケット本体４０を座金部材２０へ近づけてベースプレート３０を座金部材２０に最接近させるようにする。そうすると、ベースプレート３０の各第２係止突片３２は、座金部材２０における周方向で隣設された２つの第１係止突片２２間に位置することになる。
【００５０】
この状態で図２に円弧状矢印で示すように、ブラケット本体４０を、ベースプレート３０の中心線回りに時計方向に向けて回動させるワンタッチ操作を行うと、ベースプレート３０の第２係止突片３２の延設片３２２が座金部材２０の第１係止突片２２の延設片２２２と座金部材２０前面との間に嵌り込んでいく。そして、ブラケット本体４０は、略３０°回動させた状態で、図３に示すように、座金部材２０を介して壁面Ｗに固定された状態になる。
【００５１】
一方、隣設される手摺Ｔの対向端面にそれぞれ固定された第１および第２端面部材５０ａ，５０ｂは、各嵌合突起５２２が相手方の嵌合凹部５２３に嵌め込まれることにより、図２に示す状態を経て図３に示すように円柱状の端面部材５０が形成される。かかる端面部材５０は、第１端面部材５０ａの位置決め孔５３がブラケット本体４０の円弧面４２１に形成された位置決め突片４２２に外嵌され、これによって端面部材５０がブラケット本体４０の円弧面４２１上で位置決めされる。
【００５２】
ついで、太ネジＳ１がブラケット本体４０の端面部材装着部４２に穿設された縦貫通孔４２３にドライバ等の工具を用いて下から差し通され、第１端面部材５０ａの装着孔５５を介して第２端面部材５０ｂのネジ孔５６に螺着されて締結される。こうすることによって端面部材５０を介して直列に互いに隣設された２本の手摺Ｔは、当該端面部材５０を介してブラケット本体４０により支持された状態になる。
【００５３】
そして、ブラケット本体４０が座金部材２０に取り付けられた状態では、ブラケット本体４０のラッパ状を呈したベースプレート装着部４１の後面開口４１１の部分が、図３に示すように、座金部材２０を完全に覆った状態になるため、ネジなどが外部に露出することがなく、壁面Ｗに取り付けられた手摺用ブラケット１０を非常に美麗な状態にすることができる。
【００５４】
以上詳述したように、第１実施形態に係る手摺用ブラケット１０は、壁面Ｗに固定される座金部材２０と、この座金部材２０に着脱可能に取り付けられるベースプレート３０と、このベースプレート３０を介して座金部材２０に取り付けられ、かつ、頂部に手摺Ｔを支持する端面部材５０が設けられたブラケット本体４０とが備えられ、座金部材２０とベースプレート３０との間には、両者をワンタッチで結合するワンタッチ結合構造が介設されている。そして、ブラケット本体４０は、ベースプレート３０を介して座金部材２０を全体的に覆い得るように形状設定されている。
【００５５】
このような手摺用ブラケット１０によれば、座金部材２０とベースプレート３０との間に両者をワンタッチで結合するワンタッチ結合構造が介設されているため、予めベースプレート３０をブラケット本体４０に取り付けておくことにより、手摺用ブラケット１０を現地施工するに際し、ワンタッチ結合構造を介してベースプレート３０をワンタッチで予め壁面Ｗに固定されている座金部材２０に取り付けることができ、手摺用ブラケット１０の現地施工の作業性を大幅に向上させることができる。
【００５６】
そして、ワンタッチ結合構造は、座金部材２０のベースプレート３０に対する対向面から周方向に等ピッチで突設された複数の第１係止突片２２と、ベースプレート３０に第１係止突片２２と対応するように等ピッチで突設された複数の第２係止突片３２とで構成され、第１および第２係止突片２２，３２は、いずれもベースプレート３０を周方向に向けて回動させることにより互いに係止し合うように形状設定されている。
【００５７】
ワンタッチ結合構造をこのように構成することにより、ベースプレート３０の第２係止突片３２を座金部材２０の第１係止突片２２に対応させた状態でベースプレート３０を中心回りに第２係止突片３２の方向に向けて回動させるというワンタッチ操作を行うことにより、第１および第２係止突片２２，３２が互いに係合し合い、これによりブラケット本体４０の座金部材２０を介しての壁面Ｗへの固定操作を容易に行うことができる。
【００５８】
さらに、端面部材５０は、手摺Ｔの端面が固定される円盤５１によって形成され、円盤５１は、ブラケット本体４０の頂部に固定されているため、直列に連結されるべき複数本の手摺Ｔにおける端の手摺Ｔの端部に円盤５１を固定し、この円盤５１をブラケット本体４０の頂部に固定することにより、手摺Ｔをその端部が見苦しくない状態で手摺用ブラケット１０に支持させることができる。
【００５９】
そして、第１実施形態における端面部材５０は、互いに対向する２本の手摺Ｔの各端面にそれぞれ固定される一対の円盤５１と、各円盤５１の半分の位置からそれぞれ突設された半円状を呈する一対の半円状肉厚部とを備え、各半円状肉厚部は、それぞれの各弦部が互いに当接された状態でブラケット本体４０の頂部に固定されていることを特徴とするものである。
【００６０】
かかる構成によれば、互いに接続されるべき２本の手摺Ｔの一方側の端縁に端面部材５０の円盤５１を固定する一方、他方側の端縁にも円盤５１を固定し、これら各円盤５１から突設された半円状厚部同士が互いに干渉しあわないように（すなわち、各端面部材５０の半円状肉厚部を、それぞれ相手方の円盤５１に当接させるように）して両端面部材５０を当接させ、この状態で両者をブラケット本体４０の頂部に固定することにより、互いに隣接されるべき２本の手摺Ｔの対向端部同士を、１つの手摺用ブラケット１０により確実に支持された状態にすることができる。
【００６１】
本発明は、上記の実施形態に限定されるものではなく、以下の内容をも包含するものである。
【００６２】
（１）図６は、本発明に係る手摺用ブラケットの第２実施形態を示す一部切り欠き分解斜視図であり、図７は、その組み立て斜視図である。また、図８は、手摺が第１および第２実施形態に係る手摺用ブラケットに支持されて所定の壁面に取り付けられた状態を示す斜視図である。なお、図６〜図８におけるＸおよびＹによる方向表示は、図１の場合と同様（−Ｘ：左方、＋Ｘ：右方、−Ｙ：前方、＋Ｙ：後方）である。
【００６３】
まず図６に示すように、第２実施形態の手摺用ブラケット１０′は、他の手摺Ｔと接続されることなく、当該手摺Ｔの端部を支持するために用いられるものであり、座金部材２０、ベースプレート３０およびブラケット本体４０については第１実施形態のものと同様のものが採用されているが、端面部材５０′が第１実施形態のものと相違している。
【００６４】
すなわち、第２実施形態の手摺用ブラケット１０′に使用される端面部材５０′は、径寸法が手摺Ｔの径寸法より若干大きめの扁平な円盤のみによって構成されている。かかる端面部材５０′には、互いに点対象位置に軸心方向へ延びた（図６に示す例では左右方向に延びた）挿通孔５４がそれぞれ穿設されているとともに、周面から軸心へ向かい、かつ、前記挿通孔５４と干渉しないように螺設されたネジ孔５６が螺設されている。
【００６５】
また、端面部材５０′の周面におけるネジ孔５６の近傍には、ブラケット本体４０の円弧面４２１に設けられた位置決め突片４２２に外嵌させるための位置決め孔５３が設けられている。
【００６６】
かかる構成の手摺用ブラケット１０′によれば、他の手摺Ｔと接続されることのない当該手摺Ｔの端面に、まず、端面部材５０′がその挿通孔５４に挿通されたビスＢにより取り付けられる。ついで、端面部材５０′は、その位置決め孔５３が位置決め突片４２２外嵌され、これによる位置決め状態でブラケット本体４０の端面部材装着部４２の円弧面４２１上に載置される。
【００６７】
引き続き、太ネジＳ１がブラケット本体４０の縦貫通孔４２３に下から差し入れられ、端面部材５０′のネジ孔５６に螺着され締結される。こうすることによって、手摺Ｔは、その端部が、図７に示すように、手摺用ブラケット１０に支持されて壁面Ｗに取り付けられる。このような手摺Ｔの端部専用の手摺用ブラケット１０′を採用することにより、手摺Ｔの端部が見苦しくない状態で手摺用ブラケット１０′に支持されるため、直列で接続される複数本の手摺Ｔは、図８に示すように、中間部分は第１実施形態に係る手摺用ブラケット１０が採用される一方、端部は第２実施形態に係る手摺用ブラケット１０′が採用され、これによって壁面Ｗに第１および第２実施形態に係る手摺用ブラケット１０，１０′に支持された複数本の手摺Ｔが美麗になるとともに手摺Ｔの端部が安全になる。
【００６８】
（２）上記の実施形態においては、座金部材２０に設けられる第１係止突片２２およびベースプレート３０に設けられる第２係止突片３２の双方が、それぞれ３つずつとされているが、本発明は、第１および第２係止突片２２，３２が３つずつであることに限定されるものではなく、２つずつであってもよいし、４つ以上であってもよい。
【００６９】
（３）上記の実施形態においては、手摺Ｔとして断面視で円形のものが採用されているが、これに代えて断面視で上部は円弧状だが下部は矩形状に形状設定されたような、断面視で円形でない手摺を採用してもよい。但しこの場合、端面部材５０，５０′も手摺Ｔの断面形状に合わせたものを採用する必要がある。
【００７０】
（４）上記の実施形態においては、ベースプレート３０がブラケット本体４０にビスＢによって固定されているが、こうする代わりに溶着処理あるいは接着処理でベースプレート３０をブラケット本体４０に固定してもよい。
【符号の説明】
【００７１】
１０，１０′  手摺用ブラケット
２０  座金部材
２１  ネジ挿通孔              ２２  係止突片
２２１  起立円弧起突          ２２２  延設片
３０  ベースプレート          ３１  ビス挿通孔
３２  係止突片                ３２１  起立円弧起突
３２２  延設片
４０  ブラケット本体
４１  ベースプレート装着部    ４１１  後面開口
４１２  ビス座部              ４１３  ビス孔
４２  端面部材装着部          ４２１  円弧面
４２２  突片                  ４２３  縦貫通孔
４２４  大径孔                ４２５  小径孔
５０，５０′  端面部材（手摺支持部材）
５０ａ  第１端面部材          ５０ｂ  第２端面部材
５１  円盤                    ５２  半円状肉厚部
５２１  弦面                  ５２２  嵌合突起
５２３  嵌合凹部              ５３  位置決め孔
５４  挿通孔                  ５５  装着孔
５６  ネジ孔
Ｗ  壁面                      Ｔ  手摺
Ｂ  ビス                      Ｓ  ネジ
Ｓ１  太ネジ                  Ｌ  曲率中心線
Ｏ  中心点
【図１】
0005390665.tif 000002
【図２】
0005390665.tif 000003
【図３】
0005390665.tif 000004
【図４】
0005390665.tif 000005
【図５】
0005390665.tif 000006
【図６】
0005390665.tif 000007
【図７】
0005390665.tif 000008
【図８】
0005390665.tif 000009